(57)【要約】【課題】一度の印刷指示で、印刷からくるみ製本を含む後処理を行うことが可能な印刷システムを実現する。【解決手段】印刷システムであって、媒体に対して、印刷装置と、製本装置と、折り装置とが順に配置された印刷システムであって、ジョブに、折り情報及び製本処理に関する製本情報が含まれているか否かを判定するジョブ判定手段と、前記ジョブ判定手段が、前記折り情報及び前記製本情報が含まれていると判定した場合には、前記ジョブを、前記印刷情報及び前記折り情報を含む第１のサブセットジョブと、前記製本情報を含む第２のサブセットジョブと、に分割するジョブ分割手段と、前記印刷装置及び前記折り装置に対し、前記第１のサブセットジョブに基づいて、前記印刷処理及び折る処理を行うよう指示した後、前記製本装置に対し、前記第２のサブセットジョブに基づいて前記製本処理を行うよう指示する指示手段と、を含む。【選択図】図３
2013193395.tif 000002
【特許請求の範囲】
【請求項１】
複数枚の媒体に対して、印刷処理を行う印刷装置と、製本処理を行う製本装置と、折る処理を行う折り装置とが順に配置された印刷システムであって、
少なくとも印刷処理に関する印刷情報を含むジョブを取得するジョブ取得手段と、
前記ジョブに、前記折る処理に関する折り情報及び前記製本処理に関する製本情報が含まれているか否かを判定するジョブ判定手段と、
前記ジョブ判定手段が、前記折り情報及び前記製本情報が含まれていると判定した場合には、前記ジョブを、前記印刷情報及び前記折り情報を含む第１のサブセットジョブと、前記製本情報を含む第２のサブセットジョブと、に分割するジョブ分割手段と、
前記印刷装置及び前記折り装置に対し、前記第１のサブセットジョブに基づいて、前記印刷処理及び折る処理を行うよう指示した後、前記製本装置に対し、前記第２のサブセットジョブに基づいて前記製本処理を行うよう指示する指示手段と、
を含むことを特徴とする印刷システム。
【請求項２】
前記指示手段は、前記ジョブ判定手段が、前記製本情報が含まれていないと判定した場合には、前記印刷情報及び／または前記折り情報に基づいて、前記印刷処理及び／または前記折る処理を行うよう指示することを特徴とする請求項１記載の印刷システム。
【請求項３】
前記指示手段は、前記ジョブ判定手段が、前記製本情報が含まれているが前記折り情報が含まれていないと判定した場合には、前記印刷情報及び前記製本情報に基づいて、前記印刷処理及び前記製本処理を行うよう指示することを特徴とする請求項１記載の印刷システム。
【請求項４】
前記印刷システムは、更に、
前記第１のサブセットジョブに基づいて前記印刷処理及び折る処理が行われた媒体が、前記製本装置にセットされたことを示す媒体セット情報を取得する媒体セット情報取得手段を含み、
前記指示手段は、前記取得された媒体セット情報に応じて、前記製本装置に対し、前記第２のサブセットジョブに基づいて前記製本処理を行うよう指示する、
ことを特徴とする請求項１記載の印刷システム。
【請求項５】
前記印刷システムは、更に、
前記印刷処理及び折る処理が行われた媒体を、前記製本装置にセットすることを要求する要求手段を含むことを特徴とする請求項１乃至４のいずれかに記載の印刷システム。
【請求項６】
前記要求手段は、表示手段に、前記第２のサブセットジョブを表す情報を識別表示することを特徴とする請求項５に記載の印刷システム。
【請求項７】
前記識別表示は、前記製本装置にセットする前記印刷処理及び折る処理が行われた媒体の向きを示す向き情報を含むことを特徴とする請求項６に記載の印刷システム。
【請求項８】
前記印刷システムは、更に、
前記前記第１のサブセットジョブ及び前記第２のサブセットジョブを記憶するサブセットジョブ記憶手段と、
前記製本処理についてエラーが発生したことを表すエラー情報を取得するエラー情報取得手段と、
を含み、
前記指示手段は、前記エラー情報取得手段が前記エラー情報を取得した場合には、前記第１のサブセットジョブを前記サブセットジョブ記憶手段から取得するとともに、前記第１のサブセットジョブに基づいて、前記印刷処理及び折る処理を行うよう指示することを特徴とする請求項１乃至７のいずれかに記載の印刷システム。
【請求項９】
複数枚の媒体に対して、印刷処理を行う印刷装置と、製本処理を行う製本装置と、折る処理を行う折り装置とが順に配置された印刷システムに関するプログラムであって、
少なくとも印刷処理に関する印刷情報を含むジョブを取得するジョブ取得手段、
前記ジョブに、前記折る処理に関する折り情報及び前記製本処理に関する製本情報が含まれているか否かを判定するジョブ判定手段、
前記ジョブ判定手段が、前記折り情報及び前記製本情報が含まれていると判定した場合には、前記ジョブを、前記印刷情報及び前記折り情報を含む第１のサブセットジョブと、前記製本情報を含む第２のサブセットジョブと、に分割するジョブ分割手段、及び、
前記印刷装置及び前記折り装置に対し、前記第１のサブセットジョブに基づいて、前記印刷処理及び折る処理を行うよう指示した後、前記製本装置に対し、前記第２のサブセットジョブに基づいて前記製本処理を行うよう指示する指示手段、
として、コンピュータシステムを機能させるための印刷プログラム。
【発明の詳細な説明】
【技術分野】
【０００１】
本発明は、印刷システム、及び、印刷プログラムに関する。
【背景技術】
【０００２】
印刷システムの後処理機能として、例えば、Ａ４とＡ３のような、用紙の１辺が同じ長さであり、他辺が異なる長さの用紙が混在している場合、より長い方の用紙をＺ状に折ることで他方の用紙の長さ以下にし、用紙全体をもっとも短い辺の長さを持つ用紙束にまとめる、いわゆるＺ折り機能と呼ばれる後処理機能が知られている。また、用紙束の１辺に糊付けし、当該用紙束に表紙を貼り付けることで製本処理を行う、いわゆるくるみ製本という後処理機能（製本機能）が知られている。
【０００３】
ここで、一般に、Ｚ折り機能は、ステープラやパンチ、排紙スタッカなどの他の機能とともに、複合後処理装置で実現され、また、製本機能は、単体の後処理装置（くるみ製本装置）で実現される。そして、Ｚ折り機能を有する複合後処理装置は、構成の制約上、くるみ製本装置の下流に接続される。
【０００４】
この場合、例えば、Ａ３の長辺をＺ折り処理し、Ａ４の長辺とＡ３の短辺を糊付けしてくるみ製本を行おうとする場合、くるみ製本装置は、Ｚ折り機能を有する複合後処理装置の上流にあるため、Ｚ折りを行った用紙を給紙口に送ることができない。よって、Ｚ折りされた用紙を含む用紙束のくるみ製本を行うことができない。
【０００５】
そこで、用紙束がＺ折りされた用紙を含む場合には、製本処理を行わず印刷やＺ折り処理のみ行って排紙し、当該排紙された用紙束を製本処理するために印刷指示とは別に製本処理のためのパラメータを再度設定して、製本処理する印刷処理システムが知られている（特許文献１参照）。
【先行技術文献】
【特許文献】
【０００６】
【特許文献１】特開２００９−１７２９８０号公報
【発明の概要】
【発明が解決しようとする課題】
【０００７】
本発明は、一度の印刷指示で、印刷からくるみ製本を含む後処理を行うことが可能な印刷システム及び印刷プログラムを実現することを目的とする。
【課題を解決するための手段】
【０００８】
請求項１に記載の印刷システムは、複数枚の媒体に対して、印刷処理を行う印刷装置と、製本処理を行う製本装置と、折る処理を行う折り装置とが順に配置された印刷システムであって、少なくとも印刷処理に関する印刷情報を含むジョブを取得するジョブ取得手段と、前記ジョブに、前記折る処理に関する折り情報及び前記製本処理に関する製本情報が含まれているか否かを判定するジョブ判定手段と、前記ジョブ判定手段が、前記折り情報及び前記製本情報が含まれていると判定した場合には、前記ジョブを、前記印刷情報及び前記折り情報を含む第１のサブセットジョブと、前記製本情報を含む第２のサブセットジョブと、に分割するジョブ分割手段と、前記印刷装置及び前記折り装置に対し、前記第１のサブセットジョブに基づいて、前記印刷処理及び折る処理を行うよう指示した後、前記製本装置に対し、前記第２のサブセットジョブに基づいて前記製本処理を行うよう指示する指示手段と、を含むことを特徴とする。
【０００９】
請求項２に記載の印刷システムは、請求項１に記載の印刷システムにおいて、前記指示手段は、前記ジョブ判定手段が、前記製本情報が含まれていないと判定した場合には、前記印刷情報及び／または前記折り情報に基づいて、前記印刷処理及び／または前記折る処理を行うよう指示することを特徴とする。
【００１０】
請求項３に記載の印刷システムは、請求項１に記載の印刷システムにおいて、前記指示手段は、前記ジョブ判定手段が、前記製本情報が含まれているが前記折り情報が含まれていないと判定した場合には、前記印刷情報及び前記製本情報に基づいて、前記印刷処理及び前記製本処理を行うよう指示することを特徴とする。
【００１１】
請求項４に記載の印刷システムは、請求項１に記載の印刷システムにおいて、前記印刷システムは、更に、前記第１のサブセットジョブに基づいて前記印刷処理及び折る処理が行われた媒体が、前記製本装置にセットされたことを示す媒体セット情報を取得する媒体セット情報取得手段を含み、前記指示手段は、前記取得された媒体セット情報に応じて、前記製本装置に対し、前記第２のサブセットジョブに基づいて前記製本処理を行うよう指示する、ことを特徴とする。
【００１２】
請求項５に記載の印刷システムは、請求項１乃至４のいずれかに記載の印刷システムにおいて、前記印刷システムは、更に、前記印刷処理及び折る処理が行われた媒体を、前記製本装置にセットすることを要求する要求手段を含むことを特徴とする。
【００１３】
請求項６に記載の印刷システムは、請求項５に記載の印刷システムにおいて、前記要求手段は、表示手段に、前記第２のサブセットジョブを表す情報を識別表示することを特徴とする。
【００１４】
請求項７に記載の印刷システムは、請求項６に記載の印刷システムにおいて、前記識別表示は、前記製本装置にセットする前記印刷処理及び折る処理が行われた媒体の向きを示す向き情報を含むことを特徴とする。
【００１５】
請求項８に記載の印刷システムは、請求項１乃至７のいずれかに記載の印刷システムにおいて、前記印刷システムは、更に、前記前記第１のサブセットジョブ及び前記第２のサブセットジョブを記憶するサブセットジョブ記憶手段と、前記製本処理についてエラーが発生したことを表すエラー情報を取得するエラー情報取得手段と、を含み、前記指示手段は、前記エラー情報取得手段が前記エラー情報を取得した場合には、前記第１のサブセットジョブを前記サブセットジョブ記憶手段から取得するとともに、前記第１のサブセットジョブに基づいて、前記印刷処理及び折る処理を行うよう指示することを特徴とする。
【００１６】
請求項９に記載の印刷プログラムは、複数枚の媒体に対して、印刷処理を行う印刷装置と、製本処理を行う製本装置と、折る処理を行う折り装置とが順に配置された印刷システムに関するプログラムであって、少なくとも印刷処理に関する印刷情報を含むジョブを取得するジョブ取得手段、前記ジョブに、前記折る処理に関する折り情報及び前記製本処理に関する製本情報が含まれているか否かを判定するジョブ判定手段、前記ジョブ判定手段が、前記折り情報及び前記製本情報が含まれていると判定した場合には、前記ジョブを、前記印刷情報及び前記折り情報を含む第１のサブセットジョブと、前記製本情報を含む第２のサブセットジョブと、に分割するジョブ分割手段、及び、前記印刷装置及び前記折り装置に対し、前記第１のサブセットジョブに基づいて、前記印刷処理及び折る処理を行うよう指示した後、前記製本装置に対し、前記第２のサブセットジョブに基づいて前記製本処理を行うよう指示する指示手段、として、コンピュータシステムを機能させるための印刷プログラムであることを特徴とする。
【発明の効果】
【００１７】
請求項１、９の発明によれば、一度の印刷指示で、印刷処理、折り処理、製本処理が行われる。
【００１８】
請求項２の発明によれば、ジョブに製本情報が含まれていないと判定した場合には、印刷情報及び／または折り情報に基づいて、印刷及び／または折り処理が行われる。
【００１９】
請求項３の発明によれば、ジョブに製本情報が含まれているが前記折り情報が含まれていない場合には、印刷情報及び製本情報に基づいて、印刷処理及び製本処理が行われる。
【００２０】
請求項４の発明によれば、印刷処理が行われた媒体がセットされた後に製本処理が行われる。
【００２１】
請求項５の発明によれば、印刷及び折り処理がされた媒体の製本装置へのセットが示唆される。
【００２２】
請求項６、７の発明によれば、製本対象の選択の誤りが防止される。
【００２３】
請求項８の発明によれば、製本処理実行中にエラーが発生した場合に、改めて印刷指示を行う必要がなくなる。
【図面の簡単な説明】
【００２４】
【図１】印刷システムの構成の概要について説明するための図である。
【図２】印刷システムの一例について説明するための図である。
【図３】画像形成装置の機能的構成を説明するための図である。
【図４】印刷指示を行う画面の一例を示す図である。
【図５】製本処理について説明するための図である。
【図６】Ｚ折り処理について説明するための図である。
【図７Ａ】ジョブのデータ構造について説明するための図である。
【図７Ｂ】ジョブのデータ構造について説明するための図である。
【図８】要求処理に応じて表示される画面の一例を示す図である。
【図９】印刷システムの処理のフローの概要について説明するための図である。
【図１０】印刷システムの処理のフローの概要について説明するための図である。
【発明を実施するための形態】
【００２５】
以下、本発明の実施形態について、図面を参照しつつ説明する。なお、図面については、同一又は同等の要素には同一の符号を付し、重複する説明は省略する。
【００２６】
図１は、本発明の実施の形態における印刷システムの構成の概要について説明するための図である。図１に示すように、印刷システム１００は、主に、画像形成装置１１０、端末１２０、製本装置１３０、後処理装置１４０を含む。画像形成装置１１０、製本装置１３０、後処理装置１４０は、互いにネットワーク１０８を介して接続される。
【００２７】
ここで、端末１２０は、例えば、パーソナルコンピュータであり、画像形成装置１１０は、例えば、コピー機能やスキャン機能等を有する複合機である。また、製本装置１３０は、例えば、用紙の１辺に糊付けし、表紙を貼り付けることで製本処理を行う装置であり、後処理装置１４０は、例えば、用紙を折る処理を行うように構成してもよい。また、当該後処理装置１４０は、その他、ステープラやパンチ等の処理を行ってもよい。また、用紙を折る処理とは、上記のようなＺ折り処理の他、用紙を半分に折るいわゆる二つ折り処理などその他の用紙を折る処理を含む。また、用紙としては、紙媒体に限られず、プラスチック媒体等のその他の媒体を用いてもよい。
【００２８】
図１に示すように、本実施の形態における画像形成装置１１０は、例えば、制御部１０１、記憶部１０２、操作部１０３、表示部１０４、読み取り部１０５、プリンタ部１０６、通信部１０７を有する。なお、各部１０１乃至１０７は、内部バス１０９により互いに接続される。
【００２９】
制御部１０１は、例えば、ＭＰＵであって、記憶部１０２に格納されたプログラムに従って動作する。記憶部１０２は、例えば、ＲＯＭやＲＡＭ、ハードディスク等の情報記録媒体で構成され、制御部１０１によって実行されるプログラムを保持する情報記録媒体である。また、記憶部１０２は、制御部１０１のワークメモリとしても動作する。なお、当該プログラムは、例えば、ネットワーク１０８を介して、ダウンロードされて提供されてもよいし、または、ＣＤ−ＲＯＭやＤＶＤ−ＲＯＭ等のコンピュータで読み取り可能な各種の情報記録媒体によって提供されてもよい。
【００３０】
操作部１０３は、例えば、複数のボタンや後述する表示部１０４に表示されたタッチパネル等のインターフェースで構成され、ユーザの指示操作に応じて、当該指示操作の内容を制御部１０１に出力する。
【００３１】
表示部１０４は、例えば、液晶ディスプレイ、有機ＥＬディスプレイ等であって、制御部１０１からの指示に従い、情報を表示する。読み取り部１０５は、媒体の表面を撮像センサでスキャンすることにより、媒体の画像を読み取る。プリンタ部１０６は、例えば、ユーザの指示により、読み取り部１０５により取得された画像や記憶部１０２に記憶された画像を印刷する。
【００３２】
通信部１０７は、当該画像処理装置１００を、ネットワーク１０８を介して、製本装置１３０、後処理装置１４０、その他の電子機器（図示なし）と接続される。パーソナルコンピュータ、製本装置１３０や後処理装置１４０は、同様に、制御部１０１、記憶部１０２、通信部１０７等を含む。なお、製本装置１３０や後処理装置１４０の制御部１０１、記憶部１０２、通信部１０７の構成については上記と同様である。なお、図１においては省略したが、印刷システム１００は、その他、後述する大容量給紙トレイ１５０、大容量スタッカ１６０を含み、大容量給紙トレイ１５０、大容量スタッカ１６０は、同様に制御部１０１、記憶部１０２、通信部１０７等を含むように構成してもよい。
【００３３】
図２は、印刷システムの概要について説明するための図である。図２に示すように、印刷システム１００は、例えば、大容量給紙トレイ１５０、画像形成装置１１０、大容量スタッカ１６０、製本装置１３０、後処理装置１４０を含み、例えば、図２に示した順に接続される。大容量給紙トレイ１５０は、画像形成装置１１０に用紙を供給する。大容量スタッカ１６０は、画像形成装置１１０により、例えば描画処理がなされた用紙を蓄積する。製本装置１３０は、大容量スタッカ１６０からの用紙について、製本処理を行う。後処理装置１４０は、上記のように、例えば、描画処理等がなされた用紙についてＺ折り処理を行う。この場合、描画処理等がなされた用紙については、製本装置１３０による製本処理は行われず、後処理装置１４０に供給される。なお、図２に示した印刷システム１００の概要は一例であって、本実施の形態はこれに限定されるものではない。
【００３４】
図３は、本実施の形態における画像形成装置の機能的構成を説明するための図である。図３に示すように、画像形成装置１１０は、ジョブ取得部３０１、ジョブ判定部３０２、ジョブ分割部３０３、サブセットジョブ記憶部３０４、サブセットジョブ取得部３０８、媒体セット情報取得部３０９、指示部３１０、要求部３１１、エラー情報取得部３１２を含む。
【００３５】
ジョブ取得部３０１は、ジョブを取得する。当該ジョブは、例えば、端末１２０からネットワーク１０８を介して取得される。具体的には、例えば、ユーザが印刷指示を行う際に、当該ユーザの指示に応じて、図４に示すようなユーザインタフェース画面を端末１２０の表示部１０４に表示させ、当該画面上において、ユーザが、指定した文書データに対し、Ｚ折り処理を行うか、製本処理を行うか等の種々の処理を指定して、印刷指示を行うことによりジョブが生成される。そして、ジョブ取得部３０１は当該ジョブを、ネットワーク１０８を介して、取得する。
【００３６】
ジョブ取得部３０１は、取得されたジョブにあらかじめ設定された情報が含まれているか否かを判定する。具体的には、ジョブ判定部３０２は、まず、印刷ジョブに製本情報が含まれているか否かを判定する。ここで、製本情報とは、例えば、いわゆるくるみ製本に関する情報に相当する。より具体的には、製本情報とは、図５に示すように、例えば、印刷ジョブに当該くるみ製本情報が含まれている場合に生成される媒体が、印刷された媒体の一端が表紙を構成する媒体に糊づけされて製本するための情報に相当する。
【００３７】
また、ジョブ判定部３０２は、製本情報が含まれていると判定した場合には、印刷ジョブに折り情報が含まれているか否かを判定する。ここで、折り情報とは、例えば、紙媒体に対していわゆるＺ折り処理や二つ折り処理を行うための情報である。ここで、Ｚ折りとは、Ｚの形状に紙媒体を折る処理であり、また二つ折りとは、紙媒体を２つに折る処理である。より具体的には、図６に示すように、例えば、Ｚ折りに関する折り情報は、用紙の１辺が同じ長さであり、他辺が異なる長さの用紙が混在している場合、より長い方の用紙をＺ状に折ることで他方の用紙の長さ以下にし、用紙全体をもっとも短い辺の長さを持つ用紙束にまとめるための情報である。
【００３８】
ジョブ判定部３０２がジョブに製本情報や折り情報が含まれていないと判定した場合には、後述する印刷指示部３０５は、印刷ジョブに含まれる印刷情報に応じて、媒体に画像や文字等が、印刷するように指示する（通常印刷処理）。
【００３９】
ジョブ分割部３０３は、ジョブ判定部３０２の判定結果に応じて、ジョブを分割する。具体的には、例えば、ジョブ判定部３０２がジョブに製本情報及び折り情報が含まれていると判断した場合には、ジョブ分割部は、製本情報を含まない第１のサブセットジョブと、製本情報を含む第２のサブセットジョブに分割する。また、サブセットジョブ記憶部３０４は、分割されたサブセットジョブを記憶する。
【００４０】
例えば、ジョブが図７（Ａ）に示すような構造を有する場合、ジョブ分割部３０３は、図７（Ｂ）に示すような２つのサブセットジョブに分割する。具体的には、図７（Ａ）に示すように、分割前のジョブは、ジョブ管理情報と、ジョブのデータ（ＪＣＬと呼ばれるデータのヘッダ情報と、データ本体に相当するＰＤＬ）とを含む構造で管理される。そして、ジョブ分割部３０３は、例えば、当該ジョブを、プリント共通パラメータ群、画像処理パラメータ群、くるみ製本パラメータ群、後処理（Ｚ折り）パラメータ群を含むジョブを、プリント共通パラメータ群、画像処理パラメータ群、後処理（Ｚ折り）パラメータ群を含むＪＣＬを有するサブセットジョブ（Ｊｏｂ（Ｓｕｂ１））と、プリント共通パラメータ群、及び、くるみ製本パラメータ群を含むＪＣＬを有するサブセットジョブ（Ｊｏｂ（Ｓｕｂ２））に分割する。また、分割されたサブセットジョブは、分割前のジョブ管理情報（親）に関連付けられて管理される。ここで、上記の場合、例えば、折り情報は、後処理（Ｚ折り）パラメータ群を含み、製本情報は、プリント共通パラメータ群、くるみ製本パラメータ群を含む。また、印刷情報は、プリント共通パラメータ群、画像処理パラメータ群、ＰＤＬを含む。なお、上記データ構造は一例であって、本実施に形態におけるジョブやサブセットジョブのデータ構造は、これに限定されるものではない。
【００４１】
指示部３１０は、印刷指示部３０５、折り指示部３０６、製本指示部３０７を含む。印刷指示部３０５は、分割したジョブのうち、製本情報が含まれていないジョブ（第１のサブセットジョブ）について、当該サブセットジョブに含まれる印刷情報に応じて、画像形成装置１１０に印刷処理を行うよう指示する。また、折り指示部３０６は、当該第１のサブセットジョブに含まれる折り情報に基づいて、後処理装置１４０に、折り処理を行うように指示する。
【００４２】
サブセットジョブ取得部３０８は、例えば、第１のサブセットジョブに応じて印刷処理や折り処理が行われた後、サブセットジョブ記憶部３０４に記憶された当該第１のサブセットジョブに対応する第２のサブセットジョブを取得する。
【００４３】
媒体セット情報取得部３０９は、製本装置１３０の給紙部（図示なし）に当該サブセットジョブに対応する媒体の束、つまり、印刷処理や折り処理が行われた複数枚の媒体、がセットされたか否かを示す媒体セット情報を取得する。例えば、当該媒体セット情報は、製本装置１３０の給紙部がセンサを有し、当該センサの出力に基づいて製本装置１３０が、媒体がセットされたか否かを判定し、当該媒体セット情報が媒体セット情報取得部３０９により取得されるように構成すればよい。
【００４４】
要求部３１１は、あらかじめ設定された要求処理を行う。具体的には、当該要求処理は、例えば、図８に示すように、当該ジョブに応じて、印刷処理及び折り処理が行われた複数枚の紙媒体が後処理装置１４０の排出トレイに排出された後、画像形成装置１１０の表示部１０４に対応するサブセットジョブを表示させるウィンドウを表示する処理である。なお、この場合、サブセットジョブ記憶部３０４には、ユーザ識別情報に関連付けて、サブセットジョブが記憶され、例えば、ユーザが、カードや手入力により、ユーザＩＤを入力することで、当該ユーザが指示したジョブに対応したサブセットジョブがサブセットジョブ記憶部３０４から取得され、表示されるように構成してもよい。また、ユーザが指示したジョブが複数ある場合には当該複数のジョブに関連する複数のサブセットジョブがその他の関連情報（例えば、ジョブを指示した時間、端末等）とともにリストの形式で表示されるように構成してもよい。また、この場合、製本装置１３０の給紙部にセットされる媒体の向き（例えば、印刷結果のサムネイルや向きを示すアイコン）が併せて表示されるように構成してもよいし、その他、当該媒体の向きが画像形成装置１１０により別途印刷されるように構成してもよい。
【００４５】
製本指示部３０７は、製本装置１３０に、製本装置１３０の給紙部にセットされた媒体について、製本情報に基づき、製本処理を行うよう指示する。具体的には、例えば、製本指示部３０７は、媒体セット情報取得部３０９が、媒体セット情報を取得し、要求処理に基づいて選択されたサブセットジョブに応じて、製本装置１３０に対して製本処理を行うように指示する。
【００４６】
ここで、エラー情報取得部３１２が、製本装置１３０から、製本装置１３０における紙詰まりなどを示すエラー情報を取得した場合には、サブセットジョブ取得部３０８は、サブセットジョブ記憶部３０４に保持された、当該サブセットジョブに関連付けられた印刷指示及び折り情報を含むサブセットジョブを取得する。そして、印刷指示部３０５及び折り指示部３０６は、当該サブセットジョブに基づいて、当該エラーが解決されると、再度印刷処理及び折り情報を行うよう指示する。その後、同様に当該印刷処理等が行われた媒体について、上記のように製本処理を行う。
【００４７】
なお、上記に示した画像形成装置１１０の機能的構成は一例であって、これに限られるものではない。例えば、画像形成装置１１０の一部の機能、例えば、ジョブ分割部３０３やサブセットジョブ記憶部３０４を、端末１２０や製本装置１３０やその他の装置に設けてもよい。
【００４８】
次に、図９及び図１０を用いて、本実施の形態における印刷システムの処理のフローの概要について説明する。図９は、前段処理のフローの概要を示し、図１０は後段処理のフローの概要を示す。ここで、前段処理とは、処理のフローの前段で処理するプロセスに相当し、後段処理とは、処理のフローの後段で処理するプロセスに相当する。具体的には、例えば、ジョブに印刷情報、製本情報、折り情報が含まれている場合について説明すると、印刷情報と折り情報に応じた処理が前段処理に相当し、後段処理とは、製本情報に応じた処理が後段処理に相当する。なお、下記図９及び図１０に示したフローは一例であって、これらに限定されるものではない。
【００４９】
まず、ジョブ取得部３０１は、ジョブを取得する（Ｓ１０１）。ジョブ判定部３０２は、製本情報が含まれているか否かを判定する（Ｓ１０２）。ジョブ判定部３０２は、Ｓ１０２において製本情報が含まれていると判定した場合には、次に、折り情報が含まれているか否かを判定する（Ｓ１０３）。
【００５０】
Ｓ１０２において、製本情報が含まれていないと判定した場合、Ｓ１０３において、折り情報が含まれていないと判定した場合には、製本情報が含まれていないと判断した場合には、通常どおり印刷する（Ｓ１０４）。つまり、製本情報や折り情報が含まれていない場合には、印刷情報に応じて印刷処理が行われる。製本情報が含まれず、印刷情報及び折り情報が含まれている場合には、印刷情報に応じて印刷され、その後、折り情報に応じて折り処理が行われる。当該通常印刷処理が行われた後、処理を終了する（Ｓ１０５）。
【００５１】
一方、Ｓ１０３において、折り情報が含まれていると判定した場合には、ジョブの分割処理を行う（Ｓ１０６）。具体的には、例えば、元のジョブに、印刷情報、折り情報、製本情報が含まれている場合には、印刷情報と折り情報を含むサブセットジョブ（第１のサブセットジョブ）と、製本情報を含むサブセットジョブ（第２のサブセットジョブ）に分割する。
【００５２】
サブセットジョブ記憶部３０４は、当該分割されたサブセットジョブを関連付けて記憶する（Ｓ１０７）。具体的には、例えば、元のジョブのジョブ管理情報、第１のサブセットジョブ、第２のサブセットジョブを関連付けて記憶する。その他、ジョブを生成したユーザを識別する識別情報などその他の関連する情報を関連付けて記憶するように構成してもよい。
【００５３】
次に、印刷指示部３０５は、第１のサブセットジョブについて、当該サブセットジョブに含まれる印刷情報に応じて、画像形成装置１１０に印刷処理を行うよう指示する。そして、当該指示に応じて画像形成装置１１０は印刷処理を行う（Ｓ１０８）。
【００５４】
次に、折り指示部３０６は、当該第１のサブセットジョブに含まれる折り情報に基づいて、後処理装置１４０に、折り処理を行うように指示する。そして、当該指示に応じて後処理装置１４０は、折り処理を行う（Ｓ１０９）。
【００５５】
次に、サブセットジョブが存在するか否かを判定する（Ｓ１０８）。具体的には、例えば上記第２のサブセットジョブが存在するか否かを判定する。そして、サブセットジョブが存在しないと判断した場合には、処理を終了する（Ｓ１０５）。一方、サブセットジョブがあると判定した場合には、前段の処理を終了し（Ｓ１１１）、後述する後段処理に進む。
【００５６】
次に、後段処理について説明する。まず、サブセットジョブ取得部３０８は、サブセットジョブ記憶部３０４に記憶された、前段で処理した第１のサブセットジョブに対応する第２のサブセットジョブを取得する（Ｓ２０１）。
【００５７】
次に、媒体がセット済みであるか否か判定する（Ｓ２０２）。具体的には、例えば、製本装置１３０の給紙部がセンサを有し、当該センサの出力に基づいて判定する。そして、当該判定結果は、媒体セット情報取得部３０９により、媒体セット情報として、取得される。
【００５８】
Ｓ２０２において、媒体がセット済みでないと判定した場合には、要求処理を行い（Ｓ２０３）、そして、Ｓ２０２に戻る。具体的には、上記のように、当該要求処理は、例えば、図８に示すように、画像形成装置１１０の表示部１０４に対応するサブセットジョブを表示させるウィンドウを表示するとともに、用紙をセットするメッセージを表示する処理である。
【００５９】
Ｓ２０２において、用紙がセット済みであると判定した場合には、製本指示部３０７は、製本装置１３０に、製本装置１３０の給紙部にセットされた媒体について製本処理を行うよう指示する。そして、製本装置１３０は、当該指示に応じて、当該指示に含まれる製本情報に基づいて、製本処理を行う（Ｓ２０４）。
【００６０】
次に、製本処理が正常に終了したか否かを判定する（Ｓ２０５）。正常に終了していないと判定した場合には、再度前段ジョブの印刷処理及び折り処理を行い（Ｓ２０６）、Ｓ２０２に戻る。具体的には、例えば、正常に終了していない場合には、エラー情報取得部３１２が、製本装置１３０から、製本装置１３０における紙詰まりなどを示すエラー情報を取得する。そして、サブセットジョブ取得部３０８は、サブセットジョブ記憶部３０４に保持された、当該サブセットジョブに関連付けられた印刷指示及び折り情報を含むサブセットジョブ（第１のサブセットジョブ）を取得する。そして、印刷指示部３０５及び折り指示部３０６は、当該第１のサブセットジョブに基づいて、当該エラーが解決された後、再度印刷処理及び折り情報を行うよう指示する。その後、同様に当該印刷処理等が行われた媒体について、上記のように製本処理を行う。一方、Ｓ２０５で正常に終了したと判定した場合には、ジョブを終了する（Ｓ２０７）。
【００６１】
なお、本発明は、上記実施の形態に限定されるものではなく、種々の変形が可能である。例えば、上記実施の形態で示した構成と実質的に同一の構成、同一の作用効果を奏する構成又は同一の目的を達成することができる構成で置き換えることができる。例えば、上記においては、ジョブに印刷情報、折り情報、製本情報が含まれる場合について説明したが、その他の情報が含まれてもよい。また、上記においては、製本情報を含むサブセットジョブと折り情報を含むサブセットジョブに分割する場合について説明したが、その他連続して行うことのできない処理が存在する場合には、当該処理についてもサブセットジョブを生成するように構成してもよい。また、ジョブが複数のサブセットジョブに分割された場合であって、そのうちの１のサブセットジョブについての処理が中止された場合には、ジョブ全体を中止するように構成してもよい。
【符号の説明】
【００６２】
１００  印刷システム、１０１  制御部、１０２  記憶部、１０３  操作部、１０４  表示部、１０５  読み取り部、１０６  プリンタ部、１０７  通信部、１０８  ネットワーク、１１０  画像形成装置、１２０  端末、１３０  製本装置、１４０  後処理装置、
１５０  大容量給紙トレイ、１６０  大容量スタッカ、３０１  ジョブ取得部、３０２  ジョブ判定部、３０３  ジョブ分割部、３０４  サブセットジョブ記憶部、３０５  印刷指示部、３０６  折り指示部、３０７  製本指示部、３０８  サブセットジョブ取得部、３０９  媒体セット情報取得部、３１０  指示部、３１１  要求処理部、３１２  エラー情報取得部。
【図１】
2013193395.tif 000003
【図２】
2013193395.tif 000004
【図３】
2013193395.tif 000005
【図５】
2013193395.tif 000006
【図６】
2013193395.tif 000007
【図７Ａ】
2013193395.tif 000008
【図７Ｂ】
2013193395.tif 000009
【図９】
2013193395.tif 000010
【図１０】
2013193395.tif 000011
【図４】
2013193395.tif 000012
【図８】
2013193395.tif 000013